(57)【要約】【課題】搬送用パレットを梱包体と分離分別を可能とすると共に、梱包体の梱包作業、輸送時などにパレットと梱包体のずれによる物流課題を解決するために搬送用紙製パレットの桁により考慮した耐久性、環境保護、包装形態の標準化、作業工数の簡略化、顧客工程での使用済み対応などを可能にすることを目的とする。【解決手段】図１は本発明の実施例における二方向差し紙製パレット１の斜視図である。図２は本発明のパレット二方向差し桁１１と上部平板１２、下部平板１３、二方向差しパレットの桁の展開図１４である。【選択図】図１
2006062701.tif 000002
【特許請求の範囲】
【請求項１】
モータ用搬送紙製パレットに用いられる桁を変則ダンボール箱としたダンボール箱フラップを少なくとも5箇所以上設けて紙製パレット上部平板の外周に桁としたダンボールのフラップで構成した構造の紙製パレット。
【請求項２】
紙製パレットの桁から構成された紙製パレットの上部平板の外周に隣接された桁と一体に構成されたダンボールフラップが四隅の前後、左右に上部方向に設けた構造の請求項１の二方向差し紙製パレット。
【請求項３】
紙製パレットの桁から構成された紙製パレットの上部平板の外周に隣接された桁と一体に構成されたダンボールフラップが四隅の前後、左右と平板中程の上部方向に設けた構造の請求項１、２の四方向差し紙製パレット。
【請求項４】
紙製パレットの桁から構成された上部平板の外周に隣接した桁と一体されたダンボールフラップが四隅の前後、左右、あるいは平板中程に設けられ上部平板に置かれた包装体を固定し搬送できる構造の請求項１、２、３の紙製パレット。
【請求項５】
紙製パレットの桁から構成された上部平板の外周に隣接した桁と一体されたダンボールフラップが四隅の前後、左右、あるいは平板中程に設けられ上部平板に置かれた包装体を外周に隣接した桁を介し、テープ、ストレッチフィルムなどの包装部材を用いて固定し搬送できる構造の請求項１、２、３、４の紙製パレット。
【請求項６】
請求項１から５に記載の搬送用紙製パレットによる包装構造。
【発明の詳細な説明】
【技術分野】
【０００１】
本発明はモータを梱包し、保管・運搬するための搬送用紙製パレットに係わる環境保護対策、包装効率の向上などモータ搬送用紙パレット包装に関するものである。
【背景技術】
【０００２】
モータの包装容器、及び、包装方法はモータ製造工程、保管・輸送工程、顧客工程などの作業性、品質確保、使用済後の処理への係わりが多大である。特に、包装積載効率、輸送途上の製品品質確保、梱包作業性、顧客での取り扱い、使用済梱包材の廃棄処理など製品品質への影響、地球環境の保護、包装材の耐久性など不具合がある。この結果、包装費用の持ち出しが増加し、製品収支への影響はいなめない。
【０００３】
図７に、従来の搬送用パレットの斜視図を示す。包装容器（以下ダンボール箱と呼ぶ）４１とモータ包装の搬送は木製パレット４２で行なう。ダンボール箱と木製パレットは両面テープ、ボンド４３などにより梱包作業時の箱ずれ防止、搬送時の固定としてPPバンド４４でパレット４２と結束する。
【特許文献１】特開平１０−１３９０４２号公報
【発明の開示】
【発明が解決しようとする課題】
【０００４】
上記搬送用パレットによる構成においてはモータ包装箱との分離分別による再利用には厳しい。又、モータの形状が多岐にあり形状、サイズ、顧客への搬入包装形態も多種多様である。近年のもの造りの海外生産化や環境保護の関係など対応も不可欠である。例えば、海外からの持ち帰りモータ用包装箱での直納時では、使用済み空き箱は全て供給元へ返却されるため廃棄処理が発生し、廃棄時は再資源可能包装材と産業廃棄物などへの分別化が必要である。包装材の処理では顧客満足には程遠い現実がある。特に、海外輸出品、国内遠方カスタマー納入品など木製パレットとダンボール箱の分離の課題指摘が増加している。
【課題を解決するための手段】
【０００５】
前述課題を解決するための本発明は搬送用パレットを梱包体と分離分別を可能とすると共に、梱包体の梱包作業、輸送時などにパレットと梱包体のずれによる物流課題を解決するために搬送用紙製パレットの桁により考慮した耐久性、環境保護、包装形態の標準化、作業工数の簡略化、顧客工程での使用済み対応などが可能となり、ライフサイクルコストの低減が図れる。
【発明の効果】
【０００６】
上記説明から明らかなように、請求項１に記載の発明によればモータ包装収納の作業時に発生する梱包作業時のパレットと包装箱とのずれは変則ダンボール箱を桁で一体構成されたフラップにより上部平板の外周に少なくとも包装貨物側に接した平板上部へ介することで両面テープ、あるいはボンドなどによる接合固定が不要である。請求項２に記載の発明によれば、従来の木製パレットに比べ分離分解性が容易となり、従来紙製パレットに比べて二方差し用桁により耐圧縮強度を向上させた請求項１の二方差しパレットが提供できる。請求項３に記載の発明によれば従来の木製パレットに比べ分離分解性が容易となり、従来紙製パレットに比べて四方差し用桁により耐圧縮強度を向上させた請求項１の四方差しパレットが提供できる。請求項４に記載の発明によればパレットの桁に一体形成された変則ダンボール箱フラップによりパレットへ積み付け固定収納される包装体は安定した所定の積み付けが可能となり搬送ができる。請求項５に記載の発明によればパレットへ積み
付けされた包装体はパレット桁に一体構成されたフラップより箱のずれが防止でき、包装体の小物の固定はパレットの桁と一体のフラップ外周をガムテープなどで貼り梱包固定するなどで課題が解消する。
【０００７】
請求項６に記載の発明によればモータ用搬送パレットは梱包前準備工程で包装箱との固定を両面テープ、あるいはボンドで行い、出荷搬送し顧客納入工程まで荷役での脱落やずれによるトラブルを防止しているが、使用済み梱包材の分離分別が出来ず産業廃棄物として扱われていた包装材の有価物資源化が可能となる。又、本発明の搬送用紙製パレットは耐久性に富み、包装材料のリサイクルイクルなど環境に優しい包装と多品種対応のユニバーサルデザイン包装である。又、本包装形態での対応モデルにより従来のダンボール包装による使い捨てや持ち出しによる包装費用や包装使用済み後の廃棄費用など大幅に削減抑制され経営効果が期待できる。
【発明を実施するための最良の形態】
【０００８】
本請求項１に記載の発明は、製品（以下モータという）を包装し、保管・輸送するための搬送用紙製パレットにおいて、少なくともモータを包装し保管、輸送するために、本発明のモータ包装用搬送紙製パレットによりモータ用包装箱を搬送用パレットに固定包装することができる。且つ、包装箱の大きさサイズに関係なく安定した搬送が可能となる。本発明のパレット桁に一体に構成されたフラップが少なくとも5箇所以上で形成されているため梱包作業時の梱包箱のパレットからのずれや、搬送荷役時のずれ、座屈などの課題が解消できる。パレットの桁と一体のフラップにより梱包箱は搬送時の前後、左右への移動が解消され、従来、行っていたパレットと包装箱の両面テープ、ボンドなどによる固着が不要である。
【０００９】
本請求項２に記載の発明は、請求項１記載の搬送用紙製パレットを使用した包装箱の搬送用とした二方向差しパレットである。荷役時の搬送は搬送リフトにより前後方向に指示される。搬送方向に対する左右方向はパレットの桁と一体に構成された搬送パレットの長さ側に設けられたフラップで固定される。
【００１０】
本請求項３に記載の発明は、請求項１と請求項２記載の搬送用紙製パレットを使用した包装箱の搬送用とした四方向差しパレットである。荷役時の搬送は搬送リフトにより前後方向と左右方向の四方から指示される。搬送方向に対する左右方向はパレットの桁と一体に構成された搬送パレットの長さ側と幅側、及び、長さ側中程と幅側中程に設けられたフラップで固定される。
【００１１】
本請求項４に記載の発明は、請求項１と請求項３記載の搬送用紙製パレットによる包装箱の積み付け時にパレット上部平板の外周に形成したパレット桁のフラップで包装荷役、保管、搬送できる構造とし、使用済み包装材を分離分別が不要とし、包装材を有価資源物としてリサイクルが可能となる。
【００１２】
本請求項５に記載の発明は、請求項１と請求項４記載の搬送用紙製パレットによる包装箱の積み付け時にパレット上部平板の外周に形成したパレット桁のフラップで包装荷役、保管、搬送できる構造とし、且つ、パレット桁と一体構成のフラップと包装箱を、例えば輸出包装箱などは搬送時の固定を強固に保持するために搬送包装体をフラップと包装箱をテープなどで巻きつけができる。本請求項６に記載の発明は、請求項１と請求項５記載の搬送用紙製パレットによる包装箱の包装形態とし、従来の産業廃棄物が無くなり包装材の有価資源としてのリサイクルを可能とした。
【実施例】
【００１３】
図１は本発明の実施例における二方向差し紙製パレット１の斜視図である。
【００１４】
図２は本発明のパレット二方向差し桁１１と上部平板１２、下部平板１３、二方向差しパレットの桁の展開図１４である。二方差しパレットの桁１１構成は幅方向の両サイドに図中Ｌ１とＬ２とＨ２から構成組み立てられた桁と幅中央部はＬ１とＬ２とＨ１から構成組み立てられた桁の３本の桁である。
【００１５】
図３は本発明の実施例における四方向差し紙製パレット２の斜視図である。
【００１６】
図４は本発明のパレット四方向差し桁２１と上部平板１２、下部平板１３、四方向差しパレットの桁の展開図２２である。四方差しパレットの桁２１構成は幅方向の両サイドに図中Ｌ１とＨ２から構成組み立てられた桁と幅中央部はＬ１とＨ１から構成組み立てられた桁の９本以上の桁である。
【００１７】
図５は本発明のパレット１、またはパレット２に包装箱３を積み付けしてパレットフラップ１１−１、又は、２１−１をテープ４の貼り付け状態である。
【００１８】
図６は従来搬送用パレット５の斜視図である。
【産業上の利用可能性】
【００１９】
本発明の搬送用紙製パレットはワンウエイ包装物流における製品用搬送用パレットとしての利用が可能である。従来、搬送用パレットは木製パレットが主流であったが、梱包作業時の包装箱のずれ防止のための両面テープ、あるいはボンドなどにより固着を行っていた。しかし、使用済み箱、パレットの廃棄処理や回収作業工数が掛かるなど顧客からの改善要求や仕様決め時の敬遠の声への対応のために近年、地球環境保護要請への産業廃棄物の削減などの配慮が望まれていた。本発明は製品梱包時の作業工数がパレットと包装箱の固着の廃止により削減され、材料費も削減できる。又、包装体の荷役、保管、搬送時のパレットからのずれによる包装箱の座屈防止の保証も可能である。尚、顧客では使用済み包装箱やパレット廃棄処理での分離分別が不要となり、有価資源としてリサイクル回収ができる。又、選定包装材質はリサイクル可能材料を採用しているなど地球環境に優しい搬送用紙製パレットを提供できる。輸出包装貨物においては、植物検疫など規制が強くなる中でも従来の合板パレット、熱処理パレット、樹脂パレット、スチールパレットからの代用パレットとしての利用の可能性が期待できる。
【図面の簡単な説明】
【００２０】
【図１】本発明の一実施例における二方向差し紙製パレットの斜視図
【図２】本発明の二方向差し紙製パレットの桁、桁の展開図要例を示す図
【図３】本発明の一実施例における四方向差し紙製パレットの斜視図
【図４】本発明の四方向差し紙製パレットの桁、桁の展開図要例を示す図
【図５】本発明の搬送用紙製パレットに包装箱を積み付けした実施例の斜視図
【図６】従来の包装荷姿の実施例の斜視図
【符号の説明】
【００２１】
１        二方向差し紙製パレット
１１      パレット二方向差し桁
１１−１  パレットフラップ
１２      上部平板
１３      下部平板
１４      二方向差しパレットの桁の展開
Ｌ１      パレット桁部位
Ｌ２      パレット桁で構成のフラップ部位
Ｈ１      パレット完成時の桁高さ
Ｈ２      パレット完成時の桁高さと桁と一体のフラップ高さ
２        四方向差し紙製パレット
２１      パレット四方向差し桁
２１−１  パレットフラップ
１２      上部平板
１３      下部平板
２２      四方向差しパレットの桁の展開
３        包装箱
４        テープ
５        木製パレット
６        両面テープ  又は  ボンド類
７        ＰＰバンド
【図１】
2006062701.tif 000003
【図２】
2006062701.tif 000004
【図３】
2006062701.tif 000005
【図４】
2006062701.tif 000006
【図５】
2006062701.tif 000007
【図６】
2006062701.tif 000008